(57)【特許請求の範囲】
【請求項１】
クロック発生手段を含む第１の楽音信号発生手段と、前記第１の楽音信号発生手段からのクロック供給を受ける第２の楽音信号発生手段と、制御手段とを備える楽音発生装置であって、
前記第１の楽音信号発生手段は、前記制御手段の起動信号に従って、第１の楽音を出力するとともに、第１の楽音出力中、及び、前記制御手段の制御に従って第１ビジー信号を出力し、
前記クロック発生手段は、前記制御手段の制御に従ってクロック信号を発生し、
第２の楽音信号発生手段は、前記制御手段の起動信号に従って、第２の楽音を出力するとともに、第２の楽音出力中、第２ビジー信号を出力し、
前記制御手段は、前記第１の楽音信号発生手段と前記第２の楽音信号発生手段に起動信号を供給し、
前記第１ビジー信号が発生している間、前記クロック発生手段に前記クロック信号を発生させるとともに、
前記第１ビジー信号が無く、前記第２ビジー信号が発生している場合は、前記第１の楽音信号発生手段に前記第１ビジー信号を所定時間発生させる
楽音発生装置。
【発明の詳細な説明】
【０００１】
【発明の属する技術分野】
本発明は、互いに間隔を置いて配置した２つのスピーカから聴覚的効果を与えてそれぞれ音声出力する楽音発生装置に関するものである。
【０００２】
【従来の技術】
たとえば、楽音で時報動作を行なう時計において、左右に間隔を置いて配置した２つのスピーカから、聴覚的効果を与えて楽音の出力タイミングをずらした音声出力することが行なわれている。
この種の従来の楽音発生装置では、それぞれ独立して作動する２個の楽音信号発生ユニットから出力される楽音信号に基づき、各楽音信号発生ユニットに対応して設けた左右それぞれのスピーカから、互いに出力タイミングをずらした楽音を音声出力していた。
【０００３】
【発明が解決しようとする課題】
前述の従来の楽音発生装置では、各楽音信号発生ユニットは、それぞれに備えた水晶発振器からのクロックにより作動して、楽音信号を出力しているので、２個の水晶発振器が必要で製造コスト上で問題があると共に、各水晶発振器の発振周波数を完全に一致させて、音ずれを防止するために、発振周波数の点検調整操作が必要であり、製造工程も煩雑となっていた。
【０００４】
本発明は、かかる事情に鑑みてなされたものであり、その目的は、音ずれ防止の煩雑な調整操作が不要で、製造コスト上でも有利な楽音発生装置を提供することにある。
【０００５】
【課題を解決するための手段】
上記目的を達成するために、本発明は、クロック発生手段を含む第１の楽音信号発生手段と、前記第１の楽音信号発生手段からのクロック供給を受ける第２の楽音信号発生手段と、制御手段とを備える楽音発生装置であって、前記第１の楽音信号発生手段は、前記制御手段の制御に従って、第１の楽音を出力するとともに、第１の楽音出力中、及び、前記制御手段の制御に従って第１ビジー信号を出力し、前記クロック発生手段は、前記制御手段の起動信号に従ってクロック信号を発生し、第２の楽音信号発生手段は、前記制御手段の起動信号に従って第２の楽音を出力するとともに、第２の楽音出力中、第２ビジー信号を出力し、前記制御手段は、前記第１の楽音信号発生手段と前記第２の楽音信号発生手段に起動信号を供給し、前記第１ビジー信号が発生している間、前記クロック発生手段に前記クロック信号を発生させるとともに、前記第１ビジー信号が無く、前記第２ビジー信号が発生している場合は、前記第１の楽音信号発生手段に前記第１ビジー信号を所定時間発生させることにある。
【０００６】
本発明によれば、第１の楽音信号発生手段から第１の楽音信号が出力され、この第１の楽音信号により、第１の楽音出力手段から第１の楽音が音声出力される。
そして、第１の楽音信号発生手段から供給されるシステムクロックで作動する第２の楽音信号発生手段からは、調整操作なしに第２の楽音信号が出力される。
このとき、第１の楽音信号発生手段が、第２の楽音信号発生手段より先に止まって第１の楽音信号が出力されなくても、制御手段によって、第１の楽音信号発生手段から、第２の楽音信号発生手段にはシステムクロックの供給が行なわれる。
第１の楽音出力手段から第１の楽音信号の無音出力状態時に、第２の楽音信号発生手段からは第２の楽音信号が出力され、第２の楽音出力手段により第２の楽音が、楽音の終了まで的確に音声出力される。
【０００７】
【発明の実施の形態】
以下に、本発明の一実施の形態を、図１および図２を参照して説明する。
図１は本実施の形態の構成を示すブロック図、図２は本実施の形態の動作時の各部の信号波形図である。
【０００８】
本実施の形態では、図１に示すように、全体の動作を制御するマイクロコンピュータなどの制御手段である制御ユニット１が設けられ、この制御ユニット１に、楽音信号を出力する第１、第２の楽音信号発生手段である第１、第２の楽音信号出力ユニット２Ａ、２Ｂが接続され、第１の楽音信号出力ユニット２Ａには、アンプ３Ａを介してスピーカ５Ａが接続され、第２の楽音信号出力ユニット２Ｂには、アンプ３Ｂを介してスピーカ５Ｂが接続されており、スピーカ５Ａ、５Ｂは、楽音の聴者に対して左右に所定の間隔で配置されている。
【０００９】
第１の楽音信号出力ユニット２Ａには、楽音信号出力の全体動作を制御する主制御回路６Ａが設けられている。
この主制御回路６Ａには動作クロックを出力する水晶発振器を含むクロック発生手段であるクロック発生器７と、楽音信号を出力する音源回路８Ａとが接続され、音源回路８Ａのオーディオ端子ｔｏにアンプ３Ａが接続され、アンプ３Ａの出力端子がスピーカ５Ａに接続されている。
また、主制御回路６Ａには、起動信号が入力される起動端子ＳＴ１、アドレス信号が入力されるアドレス端子Ａ０、Ａ１、第１ビジー信号が出力されるビジー端子ＢＹ１が設けられ、クロック発生器７には入力端子ＸＩＡが設けられ、これらの端子は制御ユニット１にそれぞれ接続され、クロック発生器７に設けたクロック出力端子ＸＯＡが、後述する第２の楽音信号出力ユニット２Ｂのクロック入力端子ＸＩＢに接続されている。
【００１０】
一方、第２の楽音信号出力ユニット２Ｂには、楽音信号出力の全体動作を制御する主制御回路６Ｂが設けられている。
この主制御回路６Ｂには楽音信号を出力する音源回路８Ｂが接続され、音源回路８Ｂのオーディオ端子ｔｏにアンプ３Ｂが接続され、アンプ３Ｂの出力端子がスピーカ５Ｂに接続されている。
また、主制御回路６Ｂには、起動信号が入力される起動端子ＳＴ２、アドレス信号が入力されるアドレス端子Ａ０、Ａ１、第２ビジー信号が出力されるビジー端子ＢＹ２、およびクロック信号が入力されるクロック入力端子ＸＩＢが設けられ、起動端子ＳＴ２、アドレス端子Ａ０、Ａ１、ビジー端子ＢＹ２は、制御ユニット１にそれぞれ接続され、クロック入力端子ＸＩＢは、第１の楽音信号出力ユニット２Ａに設けられたクロック出力端子ＸＯＡに接続され、制御ユニット１に設けられたアンプ端子ＴＡが、アンプ３Ａ、３Ｂの制御端子に接続されている。
【００１１】
このような構成の本実施の形態の動作を説明する。
図示せぬ起動スイッチがＯＮとなると、制御ユニット１から、楽音信号出力ユニット２Ａの起動端子ＳＴ１と、楽音信号出力ユニット２Ｂの起動端子ＳＴ２とに起動信号が入力され（図２（ｃ），（ｄ））、入力端子Ｘ１Ａにクロック発生器７の駆動信号が入力され、クロック発生器７から主制御回路６Ａにクロックが供給される（図２（ｇ））。
これにより、楽音信号出力ユニット２Ａが起動状態となり、クロック出力端子ＸＯＡから、楽音信号出力ユニット２Ｂのクロック入力端子ＸＩＢを介して、主制御回路６Ｂにクロックが供給され、楽音信号出力ユニット２Ｂが起動状態となる。
【００１２】
制御ユニット１によって、楽音信号出力ユニット２Ａのアドレス端子Ａ０、Ａ１の信号の論理値が“０”にセットされ（図２（ａ），（ｂ））、楽音信号出力ユニット２Ａでは、主制御回路６Ａの制御によって、楽音信号の出力制御動作が実行され、音源回路８Ａに入力される。
また、音源回路８Ａのオーディオ端子ｔｏから、所定の楽音信号が出力され、制御ユニット１のアンプ端子ＴＡからの制御信号で、所定の増幅度に設定されたアンプ３Ａにより増幅された楽音信号が、スピーカ５Ａに入力され、スピーカ５Ａからは所定の楽音が音声出力される。
【００１３】
一方、制御ユニット１によって、楽音信号出力ユニット２Ｂのアドレス端子Ａ０、Ａ１の信号の論理値が“０”にセットされる（図２（ａ），（ｂ））。
これにより、楽音信号出力ユニット２Ｂでは、主制御回路６Ｂの制御によって、楽音信号出力ユニット２Ａの音源回路８Ａから出力される楽音信号に対して、たとえば位相を所定値ずらした楽音信号の出力制御動作が実行される。
そして、音源回路８Ｂのオーディオ端子ｔｏから、所定の楽音信号が出力され、制御ユニット１のアンプ端子ＴＡからの制御信号で、アンプ３Ａと同一の増幅度に設定されたアンプ３Ｂにより増幅された楽音信号が、スピーカ５Ｂに入力され、スピーカ５Ｂからは所定の楽音音声出力される。
【００１４】
楽音信号出力ユニット２Ａの音源回路８Ａから楽音信号が出力されている状態では、図２（ｅ）に示すように、楽音信号出力ユニット２Ａのビジー端子ＢＹ１の信号の論理値は“１”となる。
また、楽音信号出力ユニット２Ｂの音源回路８Ｂから楽音信号が出力されている状態では、同図（ｆ）に示すように、楽音信号出力ユニット２Ｂのビジー端子ＢＹ２の信号の論理値は“１”となる。
【００１５】
例えば，主とするスピーカから流れる報時用のメロディーと、従とするスピーカから流れる報時用のメロディーがある場合、双方が同時に終了しないで曲によっては主とするスピーカからのメロディーが先に終了することがある。
制御ユニット１では、ビジー端子ＢＹ１、ＢＹ２の信号を取込み、その論理値を監視していて、第１の楽音が先に止まって楽音信号出力ユニット２Ａの音源回路８Ａから楽音信号が出力されずにビジー端子ＢＹ１の信号の論理値が“０”の状態で、かつ楽音信号出力ユニット２Ｂの音源回路８Ｂから楽音信号が出力されてビジー端子ＢＹ２の信号の論理値が“１”の状態であると判定すると、図２（ａ）、（ｂ）に示すように、アドレス端子Ａ０、Ａ１の信号の論理値は“１”に設定される。
【００１６】
アドレス端子Ａ０，Ａ１の信号の論理値が“１”に設定されると、図２（ｅ）に示す“無音”の信号波形のように、主制御回路６Ａは無音信号出力動作状態となる。この無音信号出力動作状態は、主制御回路６Ａからビジー端子ＢＹ１への第１ビジー信号の出力があっても、音源回路８Ａへの出力が無い状態であり、図２（ｃ）、（ｅ）に示すように、ビジー端子ＢＹ１で第１ビジー信号が立下がった後に起動端子ＳＴ１の出力でビジー端子ＢＹ１を瞬時に立上げて第１ビジー信号を所定時間発生させる状態である。
この状態では、クロック発生器７からはクロックが出力され、クロック出力端子ＸＯＡから、クロック入力端子ＸＩＢを介して、第１ビジー信号が出力されなくなるまで楽音信号出力ユニット２Ｂの主制御回路６Ｂにクロックが供給される。
このために、主制御回路６Ｂによる楽音信号出力動作は、楽音が終了状態となって、楽音信号出力ユニット２Ｂの音源回路８Ｂから楽音信号が出力されなくなるまで、安定的確に継続する。
【００１７】
このように、本実施の形態では、楽音信号出力ユニット２Ａ、２Ｂにそれぞれ接続されたスピーカ５Ａ、５Ｂから、位相をずらして楽音が音声出力される場合に、制御ユニット１によって、楽音信号出力ユニット２Ａ、２Ｂの第１，第２ビジー信号の論理値が監視されている。
そして、楽音信号出力ユニット２Ｂの第２ビジー信号の論理値が“１”で、楽音信号出力ユニット２Ａの第１ビジー信号の論理値が“０”となると、制御ユニット１によって、主制御回路６Ａは無音信号出力動作状態に所定時間セットされ、楽音信号出力ユニット２Ａのクロック発生器７から、楽音信号出力ユニット２Ｂへのクロックの供給は継続され、スピーカ５Ｂからは楽音の終了まで安定的確に音声出力される。
このために、本実施の形態によれば、一つのクロック発生器７によって、何らの調整操作を行なうことなく、音ずれの発生を完全に防止して、スピーカ３Ａ、３Ｂから出力タイミングをずらした楽音を、楽音の終了まで安定的確に音声出力し、製造コスト上でも有利な楽音発生装置を提供することが可能になる。
【００１８】
【発明の効果】
以上説明したように、本発明によれば、第１の楽音信号発生手段から第１の楽音信号が出力され、この第１の楽音信号により、第１の楽音出力手段から第１の楽音が音声出力され、第１の楽音信号発生手段から供給されるシステムクロックで作動する第２の楽音信号発生手段からは、第２の楽音信号が、音ずれなしに出力可能であるという利点がある。
さらに、第１の楽音信号発生手段から第１の楽音信号が出力されなくても、制御手段によって、第１の楽音信号発生手段から、第２の楽音信号発生手段にシステムクロックの供給が行なわれ、第１の楽音出力手段からの第１の楽音の音声出力の終了後も、第２の楽音信号発生手段からは第２の楽音信号が出力され、第２の楽音出力手段は、第１の楽音とは位相の異なる第２の楽音を、楽音の終了まで適確に音声出力することが可能になる。
【図面の簡単な説明】
【図１】本発明の一実施の形態の構成を示すブロック図である。
【図２】同実施の形態の動作時の各部の信号波形図である。
【符号の説明】
１…制御ユニット
２Ａ、２Ｂ…楽音信号出力ユニット
５Ａ、５Ｂ…スピーカ
６Ａ、６Ｂ…主制御回路
７…クロック発生器
８Ａ、８Ｂ…音源回路
【図１】
0003556433.tif 000002
【図２】
0003556433.tif 000003